(57)【要約】【課題】  ウエストニッパーをオーダーメイドする為に着用した際の着用感を確認することが出来る計測機能を備えたウエストニッパーの提供。【解決手段】  伸縮可能な生地本体２には複数本の骨３，３・・を縦方向に取付け、生地本体２の両側端には複数本のファスナー片４ａ，４ｂを互いに平行に所定の間隔をおいて縫着し、そして生地本体２の両側にはフック部５とアイ部６を、該フック部５及びアイ部６に設けたファスナー片７，７を生地本体側端の上記ファスナー片４ａ，４ｂと連結している。【選択図】    図２
2005325467.tif 000002
【特許請求の範囲】
【請求項１】
ウエストニッパーをオーダーメイドする為に着用した際の着用感を確認することが出来る計測機能を備えたウエストニッパーにおいて、伸縮可能な生地本体には複数本の骨を縦方向に取付け、生地本体の両側端には複数本のファスナー片を互いに平行に所定の間隔をおいて縫着し、そして生地本体の両側にはフック部とアイ部を、該フック部及びアイ部に設けたファスナー片を生地本体側端の上記ファスナー片と連結することで取付けたことを特徴とする計測機能を備えたウエストニッパー。
【請求項２】
ウエストニッパーをオーダーメイドする為に着用した際の着用感を確認するウエスト部の計測方法において、計測用ウエストニッパーは伸縮可能な生地本体に複数本の骨を縦方向に取付け、生地本体の両側端には複数本のファスナー片を互いに平行に所定の間隔をおいて縫着し、そして生地本体の両側にはフック部とアイ部を、該フック部及びアイ部に設けたファスナー片を生地本体側端の上記ファスナー片と連結したもので、上記フック部及びアイ部に設けたファスナー片と生地本体側端に取付けている複数のファスナー片との組合わせを選択することで、ウエスト部に着用する際の着用感を確認可能としたことを特徴とするウエスト部の計測方法。
【発明の詳細な説明】
【技術分野】
【０００１】
本発明は身体に完全フィットする着用感が得られるウエストニッパーをオーダーメイドする為の計測方法、及び計測に際して用いるウエストニッパーに関するものである。
【背景技術】
【０００２】
体形の崩れを防止する為にボディスーツを着用する女性は多い。該ボディスーツは胸からウエスト部、それにヒップにかけて身体を適度に締付けて体形を整えることが出来る。しかし、このボディスーツは上記胸、ウエスト、ヒップの各部位があくまでも標準体型を基準としたサイズで製作されている為、着用しても圧迫感が残ってしまう。一般には標準体形である人は少なく、特に年齢を重ねるに従って部分的な贅肉が付いて肥満化するケースが多く、このような場合に従来のボディスーツを利用して体形を整え、身体の線を美しく魅せることは出来ない。
【０００３】
そこで、このボディスーツを分割してブラジャー、ウエストニッパー、及びガードルとで構成した下着が用いられている。これは各人の体形に合わせて上記ブラジャー、ウエストニッパー、それにガードルを選択して組み合わせることが出来、しかも部分的な着用が可能になることから便利である。
【０００４】
図３は従来のウエストニッパーを長手方向に多少縮小して表したもので、ウエスト部に巻き付けて着用する為に、一方側にはフック(イ)、(イ)・・が、他方側にはアイ(ロ)、(ロ)・・が取付けられ、上記フック(イ)、(イ)・・はアイ(ロ)、(ロ)・・に係止することが出来る。そして、ウエスト部のサイズに応じて適度な締め具合が得られるように、上記フック(イ)、(イ)・・及びアイ(ロ)、(ロ)・・は複数列と成って設けられている。又、縦方向には所定の間隔をおいて柔軟性のある骨(ハ)、(ハ)・・が縫着されている。
【０００５】
図４は該ウエストニッパーを着用した状態の参考図であるが、このウエストニッパーはウエスト部に巻き付けてフック(イ)、(イ)・・をアイ(ロ)、(ロ)・・に係止することで取付けられる。しかし、このウエストニッパーにしても標準体形を基にして複数サイズが準備されているに過ぎず、各人の体形にフィットするものではない。
【発明の開示】
【発明が解決しようとする課題】
【０００６】
このように、従来のウエストニッパーには上記のごとき問題がある。本発明が解決しようとする課題はこれら問題点であり、各々の人の体形にフィットするようにオーダーメイドする為の計測機能を備えたウエストニッパーを提供する。又、該ウエストニッパーを使用した体形の計測方法を提供する。
【課題を解決するための手段】
【０００７】
本発明に係るウエストニッパーはウエストに巻き付けて適度な締付け力を付加することが出来るように構成され、その生地は長さ方向に伸縮自在と成っている。しかし、所々には縦方向には湾曲自在な骨が設けられている為に縦方向への伸びは殆どないが、曲げ剛さは備わり、ウエスト部から腰部にかけてほぼ均等に締付けることが出来る。そして、両側にはファスナーの片側と成る複数本のファスナー片が一定間隔をおいて互いに平行に縫着される。
【０００８】
ところで、ウエストニッパーの一方側にはフック部が連結し、他方側にはアイ部が連結してウエストに巻き付け着用することが出来る。フック部にはファスナー片が設けられ、アイ部にもファスナー片が設けられている為に、ウエストニッパーの両側端に取付けている適度なファスナー片と連結することが出来、ウエストニッパーの長さが適度に調整出来る。ここで、フック部には複数のフックが配列して取付けられ、アイ部には複数のアイが配列して取付けられている。
【発明の効果】
【０００９】
本発明のウエストニッパーは両側にフック部とアイ部が連結され、しかも連結される位置はウエストニッパー側端に縫着している複数本のファスナー片の１つが選択される。従って、フック部のフックはアイ部のアイに係止してウエストニッパーは着用されるが、ファスナー片の位置を適度に選択することで完全フィットする着用感を得ることが出来る。そして、このサイズを基にして体形に合うウエストニッパーが作られ、着用時の該ウエストニッパーは必要以上の圧迫感や窮屈感はない。
【実施例】
【００１０】
図１は本発明に係る計測機能を備えたウエストニッパー１を着用した背面からの状態図である。該ウエストニッパー１の着用方法は従来通りであり、背中において両側端が連結される。このウエストニッパー１は計測機能が備わっている為に着用感を確かめることが出来、ウエストニッパーをオーダーメイドする際の基になる。
【００１１】
図２は計測機能を備えたウエストニッパー１を示す実施例であり、生地本体２は概略長方形を成して僅かに湾曲した形状とし、ウエストに巻付き易く成っている。すなわち、ウエストより周長の長い腰部に当たる下側での長さを大きくしている。そして、縦方向には湾曲自在な骨３，３・・が縫着されている為に、ウエスト部から腰部にかけて適度な締め付け力が付加される。
【００１２】
生地本体２の一方側には２本のファスナー片４ａ，４ａが平行に縫着され、他方側には同じく２本のファスナー片４ａ，４ｂが平行に縫着されている。このファスナー片４ａ，４ｂ・・にはフック部５及びアイ部６が連結されるが、フック部５にはファスナー片７が設けられ、アイ部６にもファスナー片７が設けられている。そして、ファスナー片７は上記ファスナー片４ａ，４ｂと連結することで、フック部５及びアイ部６は生地本体２の側端に連結して取付けられる。
【００１３】
フック部５には複数のフック８，８・・が等間隔で３列を成して配列し、同じくアイ部６には複数のアイ(図示なし)が等間隔で配列している。アイはフック８，８・・の適当な列に係止してウエストニッパー１はウエスト部に着用される。この場合、アイが係止するフック８，８・・の列を選択して着用感を確かめることが出来る。さらに、生地本体２の側端に設けている２本のファスナー片４ａ，４ｂを選択してフック部５及びアイ部６を連結することが可能と成る。
【００１４】
生地本体２の側端に縫着されるファスナー片４ａ，４ｂは所定の間隔をおいて互いに平行を成して縫着されているが、ウエスト部のサイズが大きくて最先端のファスナー片４ａにファスナー片７を連結した場合には、ウエストニッパー１を着用すれば隣合うファスナー片４ｂとの間の生地も延びることが出来る。すなわち、ファスナー片４ａ，４ｂは生地本体２に縫着されることで、生地本体２の伸縮性は損なわれない。
【００１５】
このように、本発明のウエストニッパー１はフック部５及びアイ部６を生地本体２の適当なファスナー片４ａ，４ｂを選択して連結し、ウエスト部に巻付け着用した際の着用感を確かめることが出来る。勿論、生地本体２の側端に設けるファスナー片４の本数は２本に限らず、３本ないし４本とすることは自由である。そして、着用時の着用感を確かめたところで、これを基にして同じウエストニッパー１をオーダーメイドすることが出来る。
【図面の簡単な説明】
【００１６】
【図１】ウエストニッパーを着用した背面からの状態図。
【図２】本発明に係る計測機能を備えたウエストニッパーの分解図。
【図３】従来のウエストニッパー。
【図４】従来のウエストニッパーを着用した場合。
【符号の説明】
【００１７】
１  ウエストニッパー
２  生地本体
３  骨
４  ファスナー
５  フック部
６  アイ部
７  ファスナー片
８  フック
【図１】
2005325467.tif 000003
【図２】
2005325467.tif 000004
【図３】
2005325467.tif 000005
【図４】
2005325467.tif 000006